(57)【要約】【課題】輝度特性の優れた液晶表示装置を提供する。【解決手段】導光板１０４の光出射面上２０１にホログラム・パターンが形成されている。ホログラム・パターンは光入射面に平行な方向に異方的に光の拡散作用を有している。導光板背面２０３には、鏡面加工により、光入射面に平行な方向に延びるプリズム構造が形成されている。導光板の光出射面上には、所定角度の頂角を有する、下向きプリズム・シート１０３が配置される。異方拡散ホログラム・パターンが一体成形された導光板に、所定角度の頂角を有する下向きプリズム・シートを適用することにより、輝度特性の優れた液晶表示装置を得ることができる。【選択図】        図２
2004186000.tif 000002
【特許請求の範囲】
【請求項１】
光源と、
前記光源からの光を入射する光入射面と、光を出射する光出射面と、前記光出射面もしくはその対向面上に形成され、前記光入射面に沿った拡散主方向を備える異方拡散回折格子を備える導光板と、
前記光入射面からその対向面に向かう方向の光を集光可能なプリズム・シートであって、前記光出射面に対向する面上に複数のプリズム構造部を備え、前記複数のプリズム構造部は６５度より大きく６８度より小さい頂角を有するプリズム・シートと、
を有する面状光源装置。
【請求項２】
前記異方拡散回折格子は、前記導光板表面上に一体成形されたホログラム・パターンである、請求項１に記載の面状光源装置。
【請求項３】
前記複数のプリズム構造部の頂角は６６度である、請求項１又は２に記載の面上光源装置。
【請求項４】
前記異方拡散回折格子は、実質的に前記拡散主軸と直交する方向に拡散機能を有していない、請求項１、２又は３に記載の面上光源装置。
【請求項５】
前記導光板は、前記異方拡散回折格子が形成された面の対向面上に、前記光出射面からの出射角を制御するための鏡面加工プリズム構造部を有する、請求項１、２、３又は４に記載の面上光源装置。
【請求項６】
前記プリズム・シートは、前記光出射面上に直接配置されている、請求項１、２、３、４又は５に記載の面上光源装置。
【請求項７】
面状光源装置と前記面状光源装置からの光の透過を制御することにより表示を行う表示パネルとを有する表示装置であって、前記面状光源装置は、
光源と、
前記光源からの光を入射する光入射面と、光を出射する光出射面と、前記光出射面もしくはその対向面上に形成され、前記光入射面に沿った拡散主方向を備える異方拡散回折格子を備える導光板と、
前記光入射面からその対向面に向かう方向の光を集光可能なプリズム・シートであって、前記光出射面に対向する面上に複数のプリズム構造部を備え、前記プリズム構造部は６５度より大きく６８度より小さい頂角を有するプリズム・シートを有する、表示装置。
【発明の詳細な説明】
【０００１】
【発明の属する技術分野】
本発明は、面状光源装置及び表示装置に関し、特に、異方拡散回折格子を備える導光板と下向きプリズム・シートとを有する面状光源装置及び表示装置に関する。
【０００２】
【従来の技術】
パーソナルコンピュータ、その他各種モニタ用の画像表示装置として、液晶表示装置の普及は目覚しいものがある。液晶表示装置は、典型的には、液晶表示パネルと、その背面に配置されたバックライト・ユニットと、を有する。液晶表示パネルは、その透過光を制御することにより、画像表示を行う。いくつかのタイプの液晶表示装置の一つに、サイドライト型（エッジライト型とも呼ばれる）のバックライト・ユニットを有するものがある。これは、液晶表示装置の薄型化のために、光源を表示面の側面に配置したものである。
【０００３】
サイドライト型バックライト・ユニットは、一般的に、光源からの光を導く導光板と、導光板の背面に配置される反射シートを有している。さらに、輝度均一化のための拡散シート、及び、導光板から出射された光を表示面の垂直方向にむけて集光するためにプリズム・シートが利用される。プリズム・シートは、プリズム構造部が形成されたプリズム面が導光板に対向する配置で使用される下向プリズム・シートと、プリズム面が表示面側を向くように配置される上向きプリズム・シートが知られている。
【０００４】
このような光の集光作用を有するプリズム・シートに代えて、光の利用効率を増加させ、正面輝度の向上を図るため、ホログラム・シートを利用する技術が知られている（特許文献１参照）。このバックライト・ユニットは、導光板、ホログラム・シート及び拡散シートを有している。ホログラム・シートは、導光板の上面上に所定間隔を置いて設置され、拡散シートがこのホログラム・シートの上に配置される。このホログラム・シートは、導光板から斜め方向に出射した光を正面方向に曲げ、正面輝度を向上させる。ホログラム・シートはプリズム・シートと比較して光の利用効率が高いため、輝度の向上を行うことができる。
【０００５】
このほかに、上面に散乱ホログラムを有し、下面に光拡散パターンを備えた導光板を有するバックライト・ユニットが知られている（特許文献２参照）。散乱ホログラムは導光板に一体化された回折格子を形成する。この散乱ホログラムは、導光板内を伝播する導波光を、導光板の外へ出射する機能を有している。さらに、散乱ホログラムは、導光板から出射する光を出射面に対して略垂直方向に立ち上げると同時に、導光板から出射される光を散乱させる機能を有する。
【０００６】
この散乱ホログラムからの光は、出射面に対してほぼ垂直な光線を中心とした散乱光となり、散乱性を保ったまま高い光利用効率を確保する。このように、散乱ホログラムが集光作用と散乱作用を併せ持つため、光を正面に集光するためのプリズム・シート、あるいは、光を散乱するための散乱シートを省くことができ、輝度を向上させる。特許文献２は、さらに、オンアクシス型の散乱ホログラム・シートを導光板の上面側に配置する技術を開示する。オンアクシス型の散乱ホログラム・シートは光の散乱を行うことがきるが、偏向機能を有していない。従って、光を正面に曲げるために、散乱ホログラム・シートと導光板との間に、下向きプリズム・シートが配置される。
【０００７】
導光板とホログラムを一体成形した他の例として、上面にホログラム・パターンが形成され、下面に鏡面プリズム加工が施された導光板が知られている。このホログラム・パターンは、導光板上面の面内方向であって、導光板への光の入射方向と垂直な方向に光を拡散する機能を有している。また、下面のプリズム構造は、導光板から光を所定の角度で出射するように光の光路を変更する機能を有している。
【０００８】
上記のように、ホログラム・パターンを有する導光板とプリズム・シートとを利用して、面状光源装置を形成するいくつかの技術が知られている。しかし、特定のプリズム・シートと特定のホログラム・パターンを有する導光板との間のそれぞれの関係性について、必ずしも十分な検討がなされていなかった。そのため、十分な光の利用効率あるいは輝度が得られていなかった。
【０００９】
【特許文献１】
特開平１１−２９５７１３号公報
【特許文献２】
特開２００２−２３１０２９号公報
【００１０】
【発明が解決しようとする課題】
本発明は上記従来技術に鑑みてなされたものであって、本発明の一つの目的は、光利用効率が高く、優れた輝度特性を有する面状光源装置及び表示装置を提供することである。
【００１１】
【課題を解決するための手段】
本発明に係る面状光源装置は、光源と、光源からの光を入射する光入射面と、光を出射する光出射面と、光出射面もしくはその対向面上に形成され、光入射面に沿った拡散主方向を備える異方拡散回折格子を備える導光板と、光入射面からその対向面に向かう方向の光を集光可能なプリズム・シートであって、光出射面に対向する面上に複数のプリズム構造部を備え、プリズム構造部は６５度より大きく６８度より小さい頂角を有するプリズム・シートと、を有するものである。この構成を有することにより、輝度特性の優れた面状光源装置を得ることを可能とする。
【００１２】
上記面状光源装置において、異方拡散回折格子は、導光板表面上に一体成形されたホログラム・パターンであることが好ましい。この構成を有することにより、光拡散の制御を効果的に行うことができる。異方拡散回折格子は、実質的に前記拡散主軸と直交する方向に拡散機能を有していないことが好ましい。この構成により、正面輝度を向上させることができる。又、プリズム・シートの頂角は６６度であることが好ましい。この構成によりさらに輝度特性を向上させることができる。
【００１３】
導光板は、異方拡散回折格子が形成された面の対向面上に、光出射面からの出射角を制御するための鏡面加工プリズム構造部を有することが好ましい。この構成により光の散乱性を抑え、正面輝度が向上する。プリズム・シートは、光出射面上に直接配置されていることが好ましい。この構成により、輝度の低下を抑えることができる。
【００１４】
本発明に係る表示装置は、面状光源装置と面状光源装置からの光の透過を制御することにより表示を行う表示パネルとを有する表示装置であって、面状光源装置は、光源と、光源からの光を入射する光入射面と、光を出射する光出射面と、光出射面もしくはその対向面上に形成され、光入射面に沿った拡散主方向を備える異方拡散回折格子を備える導光板と、光入射面からその対向面に向かう方向の光を集光可能なプリズム・シートであって、光出射面に対向する面上に複数のプリズム構造部を備え、プリズム構造部は６５度より大きく６８度より小さい頂角を有するプリズム・シートを有するものである。この構成を有することにより、輝度特性の優れた表示装置を得ることを可能とする。
【００１５】
【発明の実施の形態】
本発明が適用可能な実施の形態を以下に説明する。本形態のバックライト・ユニットは、導光板と、プリズム構造部が形成されたプリズム面が導光板に対向して配置されるプリズム・シートを有している。導光板の上面もしくは下面には異方拡散回折格子が形成されている。異方拡散回折格子の好ましい形態は、ホログラム・パターンである。ホログラム・パターンが形成されたホログラム面の反対面には、光の出射角を制御するための構造が形成されている。プリズム構造部の頂角の角度は、６５度よりも大きく、６８度より小さい範囲とされる。尚、以下の説明は、本発明の一つの実施形態を説明するものであって、本発明の範囲が以下の形態に限定されるものではない。当業者は、本発明の範囲において、必要もしくは可能な変更、変換、追加もしくは省略を行うことができる。又、以下の記載は、説明の明確化のため、実際の構成、寸法から、適宜、簡略もしくは変形がなされている。
【００１６】
図１は、本実施の形態における液晶モジュールの全体構成を説明するための斜視図である。図１は、サイドライト型のバックライト・ユニットを有する液晶モジュール１００の概略を示している。図１において、１０１はバックライト・ユニット、１０２は駆動回路が取り付けられた液晶表示パネルである。１０３は光を集光することにより、表示正面の輝度を向上させるプリズム・シート、１０４は光源からの光を導き拡散させる導光板、１０５は入射した光を反射する反射シートである。１０６は導光板やプリズム・シート等のバックライト・ユニット１０１の部品を収納するフレームであって、典型的には、ポリカーボネート等の有機樹脂で形成される。フレーム１０６は液晶表示パネルを収容することができる。１０７は冷陰極管（ＣＣＦＬ）あるいは発光ダイオード（ＬＥＤ）などの光源（図１には明示されていない）、１０８は液晶表示パネル１０２とバックライト・ユニット１０１を外側から保持、保護するベゼルである。
【００１７】
バックライト・ユニット１０１は、プリズム・シート１０３、導光板１０４、反射シート１０５、フレーム１０６、そして光源１０７を備えている。液晶表示パネル１０２は、マトリックス状に配置された複数の画素から構成される表示領域とその外周領域である額縁領域とを有している。又、液晶表示パネル１０２は、アレイ回路が形成されたアレイ基板とその対向基板とを有し、その２つの基板の間に液晶が封入されている。
【００１８】
カラー液晶表示装置は、対向基板上にＲＧＢのカラー・フィルター層を有している。液晶表示パネル１０２の表示領域内の各画素は、ＲＧＢいずれかの色表示を行う。もちろん、白黒ディスプレイにおいては、白と黒のいずれかの表示を行う。アレイ基板上の表示領域内には、複数の信号線とゲート線がマトリックス状に配設されている。信号線とゲート線とはお互いにほぼ直角に重なるように配設されている。ドライバＩＣ１０９から入力されるゲート電圧によって選択された各画素は、ドライバＩＣ１１０から入力される表示信号電圧に基づき液晶に電界を印加する。
【００１９】
このドライバＩＣは、通常、ＴＡＢによってアレイ基板に接続されるが、アレイ基板のガラス基板上に直接に設置されること、あるいはガラス基板上に直接形成されることもある。典型的には、信号線用の複数のソース・ドライバＩＣ１１０が、ＴＦＴアレイ基板のＸ軸側に設けられ、ゲート電圧を制御するゲート線用の複数のゲート・ドライバＩＣ１０９が、Ｙ軸側に設けられる。ソース・ドライバＩＣ１１０から入力される電圧が、ＴＦＴのソース／ドレインを介して画素電極に送られ、画素電極と共通電極とが液晶に電界を印加する。この電圧を変えることにより液晶への印加電圧を変化させることができ、液晶の光の透過率を制御する。共通電極に共通電位を与える回路は、制御回路基板（不図示）上に構成される。液晶表示パネルは、上記のアクティブマトリックス型の他に、スイッチング素子を有していない単純マトリックス型などが知られている。本発明は様々なタイプ液晶表示パネルに適用可能である。あるいは、面状光源装置からの光を、表示パネルによって制御する様々な表示装置に適用することができる。
【００２０】
図２は、本実施形態におけるサイドライト型のバックライト・ユニットの概略構成を説明する分解斜視図である。バックライト・ユニットは、光源１０７からの光を均一性の優れた面状の光に変換して表示パネルに出射する。具体的には、図５に示すように、光源１０７から発せられた光は導光板１０４に入射し導光板内を伝播する。導光板の背面もしくは反射シート１０５で反射された光の一部は導光板の上面から出射する。出射した光はプリズム・シート１０３によって導光板上面と垂直の方向に向けて偏向され、液晶表示パネル１０２に入射する。バックライト・ユニットにおける光特性については、後に詳述する。
【００２１】
図２において、図１と同じ符号を付されたものは同様の要素を示している。又、説明の明確化のため、一部の要素が省かれている。図２において、光源１０７として示されているものは、光源の一例であるＬＥＤチップである。ＬＥＤはＣＣＦＬに比較して色特性に優れており、光源として好ましい特性を有している。ＬＥＤチップは点状光源として機能し、指向性の強い光を放出する。そのため、典型的には複数のＬＥＤチップが、導光板の光入射面の長手方向に、所定の間隔をおいて配置される。光源として、白色のＬＥＤチップ、もしくは、ＲＧＢなどの異なる色の光を放出する複数のＬＥＤチップを使用することができる。又、ＬＥＤチップの数は特に限定されるものではない。ＬＥＤチップの周囲には、光の利用効率を下げないため、ランプ・リフレクタ（不図示）を形成することができる。ランプ・リフレクタは、内面に白反射層、Ａｇ反射層もしくはポリエステル系樹脂を用い多層膜が形成された真鍮、ステンレス、アルミなどの金属、あるいは白色有機樹脂で形成することができる。
【００２２】
光源１０７からの光は、導光板１０４に入射する。導光板１０４は、ＣＣＦＬなどの線状光源もしくはＬＥＤなどの点状光源１０７から入射した光を、面状の光に変換する機能を有している。導光板１０４は、光透過性の高いアクリル系樹脂、ポリカーボネート樹脂あるいはポリオレフィン系樹脂などの、有機材料によって形成することができる。図２において、２０１は導光板１０４の側面であって、光源１０７に対向し、光源１０７からの光が導光板内に入射する光入射面である。２０２は導光板１０４の表示側にある上面であって、液晶表示パネル１０２に向かって光を出射する光出射面である。２０３は光出射面２０２に対向する対向面であって、導光板の背面である。導光板１０４の背面側に、背面２０３と対向して反射シート１０５が配置される。２０４は導光板１０４の側面であって、光出射面２０２と背面２０３との間、及び光入射面２０１とその対向面との間に形成されている側面である。
【００２３】
光入射面２０１から入射した光は、反射を繰り返しながら導光板内を進む。導光板１０４は空気よりも屈折率が大きいため（典型的な導光板の屈折率はおよそ１．５）、導光板表面部において全反射を行い、導光板内を伝播する。この全反射条件を破り、光出射面２０２から光を出射させるために、導光板の背面２０３には、導光板からの光の出射角度を制御するための構造が形成される。光路を光出射面２０２の垂直方向に向けるための構造が下面２０３に形成されることにより、光出射面２０２から光を出射することができる。
【００２４】
この機能を有する好ましい形態は鏡面加工によって形成されたプリズム構造部である。図２において、背面２０３は鏡面加工によって形成された複数のＶ溝構造部を有している。Ｖ溝構造部は光の出射角を制御するプリズム構造部として機能することができる。Ｖ溝構造部は背面２０３から外側へ突出する形状を有している。Ｖ溝構造部は断面が三角形状を有しており、側面２０４からその対向面に向かって延びている。各Ｖ溝構造は光入射面２０１からその対向面に向かって、互いに平行に、連続して配置することができる。
【００２５】
光入射面２０１から入射し、その対向面に向かって進む光の光路は、Ｖ溝構造部によって、光出射面方向に立ち上がる。Ｖ溝構造部は、光入射面２０１からその対向面に向かう方向（方向軸）において、光出射面２０２の垂直方向に光を向ける機能を有している。このＶ溝構造部は拡散性を実質的に有しておらず、整列光を光出射面２０２に入射させることができる。導光板の背面２０３には、Ｖ溝構造部に代えて、同様の機能を有する他の形状のプリズム構造部を形成することができる。例えば、Ｖ溝構造部を側面２０４からその対向側面に向かって、断続的に形成することができる。
【００２６】
あるいは、Ｖ溝構造部を光入射面２０１からその対向側面に向かって、断続的に形成することができる。凸部ではなく凹部を背面２０３に形成することによって、プリズム構造部を形成することも可能である。あるいは、サンドブラストやスタンパなどの技術によって、微細な凹凸パターン等を背面２０３に形成することができる。しかし、このような凹凸パターンは散乱性が高い。輝度特性を向上させるために、鏡面Ｖ溝構造部などの散乱性を実質的に有していないプリズム構造部を形成することが好ましい。
【００２７】
光出射面上２０２には、異方拡散回折格子が形成される。異方拡散回折格子は、透過光の拡散性に異方性を有している。透過光は拡散主方向に大きく拡散し、拡散主方向の垂直方向には、実質的に拡散しない、もしくは拡散主方向に比較して非常に小さな拡散しか起こさない。拡散主方向は、光入射面２０１に沿って配置され、側面２０４からその対向面に向かう方向と一致するように形成される。光源としてＣＣＦＬを利用する場合、光入射面からその対向面に延びる光出射面２０２の縁部において、輝度が低くなる傾向がある。これは、ＣＣＦＬの電極部が光入射面の面内に位置することがその一因である。又、光源としてＬＥＤチップを利用する場合、ホット・スポットと呼ばれる明部や、ＬＥＤチップ間の暗部が発生しやすい。これは、ＬＥＤは点状光源であると同時に、ＬＥＤチップからの光の指向性が強いためである。このため、光源１０７からの光を側面２０４からその対向面に向かう方向に拡散させ、出射光の面内輝度を均一化することが要求される。
【００２８】
異方拡散回折格子の好ましい形態は、ホログラム・パターンとして形成されたものである。ホログラム・パターンは、２光束干渉露光法などの公知の方法によって、導光板と一体的に形成することができる。ホログラム・パターンを使用することにより、効果的に光の拡散を制御することができる。光出射面上２０２上に一体成形されたホログラム・パターンは、微小なピッチで形成された微細な凹凸パターンを備えており、導光板１０４からの出射光の拡散方向を制御する機能を有する。
【００２９】
図３は、本形態のホログラム面（ホログラム・パターンが形成された面）による光の拡散作用を説明する図である。本形態のホログラム・パターンは異型拡散光学パターンである。ホログラム・パターンの拡散主方向は光入射面２０１に沿って側面２０４からその対向面に向かう方向である。この方向は、光入射面２０１と必ずしも平行ではない。ホログラム・パターンを透過した光は、側面２０４からその対向面に向かう方向（Ｙ方向）に大きく拡散される。光入射面２０１からその対向面への方向（Ｘ方向）には実質的に拡散しない、もしくはＹ方向に比較して非常に小さな拡散しか起こさない。
【００３０】
このように拡散方向を制御することにより、不要な光の拡散を抑え、正面輝度を向上させることができる。又、ホログラムは光の利用効率が高いため、光の拡散において、光のロスを小さく抑えることができる。したがって、バックライト・ユニットの輝度向上に大きく寄与することができる。尚、ホログラム・パターンを背面２０３に形成し、上記プリズム構造部などの光出射角制御構造部を光出射面２０２に形成することが可能である。
【００３１】
図２に示すように、導光板１０４の背面側には、反射シート１０５が配置されている。反射シート１０５は、樹脂製基材を発泡させたものや、樹脂製の基材シート上に銀（Ａｇ）やアルミニウム（Ａｌ）など金属反射層を形成することにより構成することができる。又、ＡｇやＡｌなどから形成される金属反射層の他に、ポリエステル系樹脂を用いた多層膜フィルムや、液晶材料を使用した反射層を利用することができる。これらの他に、白色の反射シートなどを使用することも可能あるが、輝度特性の観点から、ＡｇやＡｌなどの金属反射層のように、拡散性をほとんど有していない正反射層を有する反射シートが好ましい。
【００３２】
図２に示すように、導光板の表示側、つまり、導光板１０４と液晶表示パネル１０２との間に、プリズム構造部が導光板側を向くようにプリズム・シート１０３が配置される。このような配置で使用されるものを、一般的に下向きプリズム・シートと呼ぶ。図４を参照して、プリズム・シート１０４は、典型的には、ポリエチレン・テレフタレート等の基材フィルム４０２の上にアクリルなどの有機樹脂で凹凸構造部４０１を付与することで形成され、数十〜数百μｍの厚さを有している。プリズム・シート１０３は、光出射面２０２に対向する面上に光の集光作用を有する複数のプリズム構造部４０１が形成されている。
【００３３】
プリズム構造部４０１は、光入射面２０１からその対向面に向かう方向（方向軸）（以下、集光方向と呼ぶ）について、入射した光を光出射面２０２もしくは液晶表示パネル１０２の表示面の垂直方向に向けて偏向する機能を有している。プリズム構造部４０１に入射した光は、プリズム構造部４０１の側面で全反射され、光路変更された光として出射する。複数のプリズム構造部はそれぞれが平行に形成され、プリズム・シート１０３の断面は鋸歯状である。プリズム構造部の稜線部は、シートの一つの側辺から反対の側辺に向かって延びている。プリズム構造部４０１の断面形状は、実質的に三角形状を有している。プリズム構造部４０１の頂角の角度（Θ）は、６５度より大きく６８度より小さい角度が好ましい。さらに好ましくは、プリズム構造部４０１の頂角の角度は６６度である。この頂角部は、曲線により形成することもできる。この頂角部の角度は２つの側辺の仮想交差点における角度と理解することができる。
【００３４】
プリズム構造部４０１は、導光板の側面２０４からその対向面に向かう方向に延びるように、導光板の光出射面側に配置される。この方向は、光入射面２０１、あるいは、ホログラム・パターンの主拡散方向と平行であるとは限らない。導光板の側面２０４からその対向面に向かう一つの方向に異方拡散性を有するホログラムが形成された導光板１０４に、上記角度を有する下向きプリズム・シートを適用することにより、バックライト・ユニットからの出射光の正面輝度を特に大きくすることができる。
【００３５】
本形態のバックライト・ユニットの光学的動作について、図５を参照して説明する。光源１０７から放射された光は、光入射面２０１から導光板内に入射し、反射を繰り返しながら導光板１０４の中を進行する。導光板１０４内の光は、導光板の背面２０３に形成された多数のプリズム構造部によって、光出射面２０２への入射角が変化されることにより、光出射面２０２から射出する。背面のプリズム構造部に入射した光は、その一部が反射され、一部は透過する。導光板１０４の背面側には反射シート１０５が配置されており、導光板１０４の背面２０３から出射した光は反射シート１０５で反射され、導光板１０４内に再入する。
【００３６】
背面のプリズム構造部の作用によって反射角を変化された光は、導光板１０４の光出射面２０２に入射する。光出射面２０２へのこれらの入射角は全反射を行う臨界角よりも小さいので、入射光は光出射面２０２から所定の角度で出射する。光出射面上２０２にはホログラム・パターンが形成されており、出射光は光入射面２０１に沿う方向に異方拡散される。光出射面２０２からの光は、プリズム・シート１０３に入射する。プリズム構造部４０１の側面で全反射された光は、進行角度を変え、表示面の正面方向に集光された状態で表示面にむかって出射する。
【００３７】
尚、導光板の出射面側に表示面での輝度の均一化に寄与する拡散シートを配置すること、あるいは、プリズム・シートの一表面を粗面化し、プリズム・シートと拡散シートを一体化することも可能である。しかし、バックライト・ユニットの全体の輝度及び正面輝度を向上させるために、拡散シートを使用しないことが好ましい。つまり、導光板の出射面上に直接配置された下向きプリズム・シートを有する構成が好ましい。さらには、プリズム・シート上に拡散シートを有しないことが好ましい。本発明は表示装置のバックライトの他、様々な面状光源装置に適用することができる。
【００３８】
【発明の効果】
本発明は、異方拡散性を有するホログラムが形成された導光板と、導光板の光出射面に対向するプリズム構造部を有するプリズム・シートであって、所定の頂角を有するプリズム・シートを使用することにより、輝度特性の優れた面状光源装置及び表示装置を提供することができる。
【図面の簡単な説明】
【図１】本実施形態に係る液晶表示装置の概略構成を示す分解斜視図である。
【図２】本実施形態に係るバックライト・ユニットの概略構成を示す解斜視図である。
【図３】本実施形態に係るホログラム・パターンの光学特性を説明する図である。
【図４】本実施形態に係るプリズム・シートの概略構成を示す図である。
【図５】本実施形態に係るバックライト・ユニットの光学特性を説明する図である。
【符号の説明】
１００  液晶表示モジュール、１０１  バックライト・ユニット、１０２  液晶表示パネル、１０３  プリズム・シート、１０４  導光板、１０５  反射シート、１０６  フレーム、１０７  光源、１０８  ベゼル、２０１  光入射面、２０２  光出射面、２０３  導光板背面、２０４  導光板側面、４０１  プリズム構造部
【図１】
2004186000.tif 000003
【図２】
2004186000.tif 000004
【図３】
2004186000.tif 000005
【図４】
2004186000.tif 000006
【図５】
2004186000.tif 000007